(57)【特許請求の範囲】
【請求項１】
印刷媒体を複数のローラーによって挟むニップ状態と挟まないニップ解除状態とを実現可能であるとともに前記ニップ状態にて前記印刷媒体を搬送経路に沿って搬送する第１搬送機構と、
前記搬送経路の最上流に位置し、前記印刷媒体を前記搬送経路に沿って搬送する第２搬送機構と、
前記第１搬送機構よりも前記搬送経路の下流に位置し、前記印刷媒体に印刷する印刷ヘッドと、
印刷後、所定期間が経過していない前記印刷媒体を逆送する場合、前記第１搬送機構を前記ニップ解除状態とし、前記第２搬送機構によって前記印刷媒体を逆送する搬送制御部と、
を備えるプリンター。
【請求項２】
前記第１搬送機構の前記ニップ状態においては、前記第２搬送機構によって前記印刷媒体を逆送する場合よりも前記印刷媒体の印刷面に対して大きな圧力が作用する、
請求項１に記載のプリンター。
【請求項３】
前記搬送制御部は、
前記ニップ状態とされた前記第１搬送機構および前記第２搬送機構によって前記印刷媒体を搬送しながら前記印刷ヘッドから白色インクを吐出して前記印刷媒体に第１の印刷を行った後、
前記第１搬送機構を前記ニップ解除状態とし、前記第２搬送機構によって前記印刷媒体を逆送し、
再度前記ニップ状態とされた前記第１搬送機構および前記第２搬送機構によって前記印刷媒体を搬送しながら前記印刷ヘッドから有彩色インクを吐出して前記印刷媒体に第２の印刷を行う、
請求項１または２に記載のプリンター。
【請求項４】
前記印刷媒体の基準位置を検出する基準位置検出センサを備え、
前記印刷ヘッドは、前記基準位置検出センサによって検出された前記基準位置と前記印刷媒体上の印刷開始位置との関係を、前記第１の印刷と前記第２の印刷とにおいて一致させて印刷を行う、
請求項３に記載のプリンター。
【請求項５】
前記印刷ヘッドよりも前記搬送経路の下流に位置し、前記印刷媒体に印刷されたインクを乾燥させるヒーターを備え、
前記ヒーターによって前記インクが乾燥する期間以前に、前記印刷媒体を逆送する場合、前記第１搬送機構を前記ニップ解除状態とし、前記第２搬送機構によって前記印刷媒体を逆送する、
請求項１から請求項４のいずれかに記載のプリンター。
【発明の詳細な説明】
【技術分野】
【０００１】
本発明は、ローラーを利用して印刷媒体を搬送するプリンターに関する。
【背景技術】
【０００２】
従来、複数のローラーによって印刷媒体を挟むニップ状態によって当該印刷媒体を搬送する技術が知られている。例えば、特許文献１においては、２個のローラーによって印刷媒体を挟んで印刷媒体を搬送する給紙ローラーや搬送ローラーが開示されている。
【先行技術文献】
【特許文献】
【０００３】
【特許文献１】特開２００４−９８６９８号公報
【発明の概要】
【発明が解決しようとする課題】
【０００４】
従来の技術では、インクジェットプリンターなど、印刷媒体にインク等の着色剤を記録した後、着色剤を印刷媒体に定着させる必要がある方式のプリンターにおいて、高速に印刷を行うことができなかった。すなわち、着色剤を印刷媒体に定着させるために着色剤を自然乾燥、あるいはヒーター等によって乾燥させる構成とした場合、乾燥するまで所定期間を要し、所定期間経過以前に印刷媒体を２個のローラーで挟んで搬送すると、ローラーに着色剤が転写されてしまう。特に、一旦印刷媒体に印刷を行い、搬送経路を逆方向に搬送した後に再度印刷を行う構成においては、複数回の印刷を繰り返す必要があるため、再度の印刷の前に所定期間の待機が必要とされると、印刷を高速に進めることができない。
本発明は上記課題にかんがみてなされたもので、着色剤を印刷媒体に定着させる必要がある方式のプリンターにおいて、高速に印刷を行うことを目的とする。
【課題を解決するための手段】
【０００５】
上記目的を達成するため、本発明においては、ニップ状態によって印刷媒体を搬送する第１搬送機構と搬送経路の最上流にて印刷媒体を搬送する第２搬送機構とを備えるプリンターにおいて、印刷後、所定期間が経過していない印刷媒体を搬送する場合、第１搬送機構をニップ解除状態とし、第２搬送機構によって印刷媒体を搬送する。すなわち、印刷後、所定期間が経過しておらず、印刷された着色剤が第１搬送機構のローラーに転写され得る状態においては、ニップ解除状態とし、最上流に配置されることによって着色剤の転写が発生しない第２搬送機構によって印刷媒体を搬送する構成とする。この構成により、着色剤の印刷媒体への定着が完了していない状態であっても印刷媒体を搬送することが可能になり、着色剤を印刷媒体に定着させる必要がある方式のプリンターにおいて、高速に印刷を行うことが可能になる。
【０００６】
ここで、第１搬送機構は、複数のローラーによって印刷媒体を挟むニップ状態と、当該複数のローラーによって印刷媒体を挟まないニップ解除状態とを実現可能であり、ニップ状態によって印刷媒体を搬送することができればよい。すなわち、ニップ状態においてはローラーから印刷媒体の印刷面に対して圧力が作用し、当該ニップ状態において少なくとも一つのローラーを回転させることによってローラー断面でのローラーの周と印刷媒体との接点における接線方向に印刷媒体が搬送されるように構成する。また、ニップ解除状態において、ローラーから印刷媒体の印刷面に対する圧力（上述の接線と垂直な方向に対する圧力）が抑制され、あるいは圧力が作用しない状態となり、印刷媒体の印刷面上に未定着の着色剤が存在する場合であっても当該着色剤がローラーに転写されないように構成する。なお、ニップ状態とニップ解除状態とはアクチュエータによってローラーの位置を変動させるなどして実現されれば良く、アクチュエータはモーターによって駆動されても良いし、油圧機構等によって駆動されても良く、種々の構成を採用可能である。さらに、ローラーは少なくとも２個存在すればよいが、３個以上であっても良い。
【０００７】
第２搬送機構は、搬送経路の最上流に配置された、印刷媒体を搬送するための機構であれば良く、ローラーを回転させてロール状に蓄積された印刷媒体を送り出し、また、巻き取ることによって印刷媒体を搬送する機構であっても良いし、第１搬送機構のように複数のローラーで印刷媒体を挟むとともにローラーを回転させて印刷媒体を搬送する機構であっても良い。すなわち、第２搬送機構は搬送経路の最上流に配置されるため、いずれの方式であっても採用可能である。
【０００８】
搬送制御部は、印刷媒体への印刷タイミングに合わせて印刷媒体を搬送することができるとともに、印刷後、所定期間が経過していない印刷媒体を搬送する場合に、第１搬送機構をニップ解除状態として第２搬送機構によって搬送するように構成されていればよい。なお、所定期間は、着色剤が印刷媒体に印刷された後、当該着色剤が定着するまでの期間であり、印刷後の経過期間は印刷の度に実測されても良いし、実測されなくても良い。すなわち、印刷後に所定のシーケンスで印刷媒体を搬送することによって印刷媒体上の印刷済の部分のうち、印刷後に所定期間が経過していない部分が存在し、かつ当該部分が第１搬送機構のローラー間に到達し得ることが明らかであることを設計段階で確認しておけば、印刷後の経過期間を印刷の度に実測する必要はない。
【０００９】
なお、印刷ヘッドから着色剤であるインクを吐出するインクジェットプリンターにおいて、印刷ヘッドよりも搬送経路下流側において搬送経路に対して平行に配置されたヒーターによってインクを乾燥させて定着させる構成が採用される場合がある。当該ヒーターでインクを乾燥させる処理を行っている過程で印刷媒体を逆方向に搬送して印刷ヘッドの上流まで戻し、再度印刷を行う構成の場合、所定期間は、ヒーターによって印刷媒体に印刷されたインクが乾燥する以前の期間となる。
【００１０】
さらに、第１搬送機構におけるニップ状態において、第２搬送機構によって印刷媒体を搬送する場合よりも印刷媒体の印刷面に対して大きな圧力が作用する構成で、着色剤の印刷後、所定期間が経過していない印刷媒体を搬送する場合、第１搬送機構をニップ解除状態とし、第２搬送機構によって印刷媒体を搬送するように構成してもよい。すなわち、第１搬送機構におけるニップ状態では印刷面に対して相対的に大きな圧力が作用することに起因して未定着の着色剤が転写し得るが、第２搬送機構によって印刷媒体を搬送する場合には印刷面に対して相対的に小さな圧力が作用することに起因して未定着の着色剤が転写しない状態において、着色剤の転写を防止するために所定期間が経過していない印刷媒体を搬送する場合に第１搬送機構をニップ解除状態とする。なお、第１搬送機構におけるニップ状態において、第２搬送機構によって印刷媒体を搬送する場合よりも印刷媒体の印刷面に対して大きな圧力が作用する構成としては、第２搬送機構がローラーを回転させてロール状に蓄積された印刷媒体を送り出し、また、巻き取ることによって印刷媒体を搬送する機構である構成が挙げられる。
【００１１】
さらに、搬送経路内で印刷媒体を逆送させることによって共通の印刷ヘッドで印刷媒体に対して複数回印刷を行う構成に本発明を適用しても良い。例えば、印刷ヘッドよりも搬送経路の上流側かつ第２搬送機構よりも搬送経路の下流側に第１搬送機構が配置される構成において、ニップ状態とされた第１搬送機構および第２搬送機構によって印刷媒体を下流側に向けて搬送しながら印刷ヘッドによって白色インクを吐出して印刷媒体に第１の印刷を行った後、第１搬送機構をニップ解除状態とし、第２搬送機構によって印刷媒体を上流側に向けて搬送する。この構成によれば、第１の印刷を行った後に、白色インクが第１搬送機構のローラーに転写されることを防止しながら、再印刷を実行可能な位置まで印刷媒体を引き戻すことができる。
【００１２】
そして、再度ニップ状態とされた第１搬送機構および第２搬送機構によって印刷媒体を下流側に向けて搬送しながら印刷ヘッドによって有彩色インクを吐出して印刷媒体に第２の印刷を行うことにより、白地の領域に有彩色インクで画像を表現する印刷を行うことができる。以上の構成は印刷媒体上の所定領域に白インクを印刷して画像を表現する領域を形成し、当該領域に対して再印刷を行って多色での画像を表現する構成、例えば、透明なフィルム状の印刷媒体に対して画像を形成する構成に適用することが好ましい。
【００１３】
さらに、再印刷を行う場合に好ましい構成例として、第２の印刷において、基準位置検出センサによって検出された印刷媒体の基準位置に基づいて印刷媒体上の印刷開始位置を特定して印刷を行う構成を想定可能である。具体的には、基準位置検出センサによって検出された印刷媒体の基準位置と印刷媒体上の印刷開始位置との関係を、第１の印刷と第２の印刷とにおいて一致させる構成とする。すなわち、第１の印刷の後、印刷媒体を搬送経路の上流に向けて逆送させるが、この場合に第１搬送機構をニップ解除状態にすることにより、搬送機構による印刷媒体の予定搬送量に対して印刷媒体の実際の搬送量が正確に追従しにくい状態となる。そこで、第１の印刷における印刷開始位置を印刷媒体の基準位置に基づいて特定しておき、第２の印刷においても印刷開始位置を印刷媒体の基準位置に基づいて特定して印刷を行えば、第１の印刷と第２の印刷とで印刷位置にずれが発生することを防止することができ、高画質に印刷を行うことが可能になる。
【００１４】
ここで、基準位置検出センサは、印刷媒体の基準位置を検出することによって印刷媒体の基準位置と印刷媒体上の任意の位置との関係を特定できればよく、この構成により、第１の印刷において印刷を開始した印刷開始位置を特定することができればよい。すなわち、印刷媒体の基準位置（媒体の端部や基準マークが記載された位置等）を基準位置検出センサによって検出した段階で印刷を開始するのであれば、基準位置検出センサによって印刷媒体の基準位置を検出した段階で印刷ヘッドによる印刷が行われる領域の端部が印刷開始位置となる。また、印刷媒体の基準位置を基準位置検出センサによって検出した後、印刷媒体を所定量搬送した段階で印刷を開始するのであれば、基準位置検出センサによって印刷媒体の基準位置を検出した後、印刷媒体を所定量搬送した段階で印刷ヘッドによる印刷が行われる領域の端部が印刷開始位置となる。従って、第１の印刷において印刷媒体の基準位置に基づいて印刷開始位置を特定しておけば、第２の印刷において印刷媒体の基準位置から同等の関係にある位置を印刷開始位置とすることで、第２の印刷において正確な印刷領域に再印刷することが可能になる。
【００１５】
さらに、以上のようなプリンターは、印刷後、所定期間が経過していない印刷媒体を搬送する場合に第１搬送機構をニップ解除状態とする方法の発明や、搬送制御のプログラムの発明としても成立し得る。また、以上のような装置、プログラム、方法は、単独の装置として実現される場合もあれば、複合的な機能を有する装置において共有の部品を利用して実現される場合もあり、各種の態様を含むものである。
【図面の簡単な説明】
【００１６】
【図１】（１Ａ）は本発明の一実施形態にかかるインクジェットプリンターの構成を模式的に示す図、（１Ｂ）はインクジェットプリンターが備える制御部および制御部によって制御されるハードウェアを示す図である。
【図２】印刷処理のフローチャートである。
【発明を実施するための形態】
【００１７】
ここでは、下記の順序に従って本発明の実施の形態について説明する。
（１）インクジェットプリンターの構成：
（２）印刷処理：
（３）他の実施形態：
【００１８】
（１）インクジェットプリンターの構成：
図１Ａは本発明の一実施形態にかかるインクジェットプリンターの構成を模式的に示す図、図１Ｂはインクジェットプリンターが備える制御部および制御部によって制御されるハードウェアを示す図である。本実施形態にかかるインクジェットプリンターは、インクを吐出する印刷ヘッド３０を備え、プラテン５０上に図１Ａにて一点鎖線で示す印刷媒体Ｐを搬送して基準位置検出センサ４０によって印刷媒体上の基準マーク（＋マーク等）を検出して印刷開始位置を特定して印刷ヘッド３０からインクを吐出することによって印刷を行う。
【００１９】
なお、本実施形態において印刷ヘッド３０は白および複数の有彩色のソルベントインクを吐出可能なヘッドであり、透明なフィルムからなる印刷媒体Ｐに白インクを印刷し、その後、白インクが印刷された領域を印刷領域として有彩色インクを印刷することによって透明なフィルムに所望の有彩色画像を印刷することが可能である。印刷は、後述するローラー２０に蓄積された印刷媒体Ｐを下流側に搬送して、印刷ヘッド３０とプラテン５０との間に到達させ、さらに、印刷媒体Ｐを印刷ヘッド３０よりも下流に搬送しながら行われる。
【００２０】
ここで、フィルム状に印刷されたソルベントインクは一般に乾きにくいため、本実施形態におけるインクジェットプリンターは、印刷ヘッド３０およびプラテン５０の下流側にヒーター６０を備えている。ヒーター６０は曲面かつ板状の熱放射部を備えるヒーターであり、当該曲面は印刷媒体Ｐの搬送経路に沿って当該搬送経路と平行になるように設置されている。本実施形態においてヒーター６０の曲面は、図１に破線の矢印で示すように印刷媒体Ｐの搬送経路に沿って所定の長さＬになるように設計されている。すなわち、当該所定の長さＬは、印刷ヘッド３０によって印刷を行った印刷媒体Ｐを所定の搬送速度で搬送しながらヒーター６０によって暖める状態で印刷を続けた場合、印刷済の部分が当該所定の長さＬの範囲を通過することによってインクが乾燥するように設計されている。本実施形態においては、印刷ヘッド３０によって印刷を実行しながら印刷媒体Ｐを所定の搬送速度で搬送した場合において、当該所定の搬送速度で所定の長さＬの範囲を通過するまでに要する期間をインクの乾燥に要する所定期間とする。
【００２１】
また、本実施形態においては、印刷ヘッド３０にて印刷媒体Ｐに対して一旦白インクを印刷した後に、搬送経路内において印刷媒体Ｐを逆送させ、再度印刷媒体Ｐに対して有彩色インクを印刷する。このため、本実施形態における印刷媒体Ｐの搬送機構は、搬送経路に沿って印刷媒体Ｐを上流から下流に向けて搬送することが可能であるとともに、搬送経路に沿って印刷媒体Ｐを下流から上流に向けて逆向きに搬送することが可能である
【００２２】
本実施形態における印刷媒体Ｐの搬送機構は、ローラー１０ａ，１０ｂによって印刷媒体Ｐを挟んで搬送する搬送機構と、ローラー２０に巻き付けられてロール状に印刷媒体Ｐを蓄積するとともに当該ローラー２０を回転させて印刷媒体Ｐを搬送する搬送機構とを含む。
【００２３】
本実施形態において、ローラー２０は、印刷媒体Ｐの蓄積部を兼ねており、当該ローラー２０に蓄積された印刷媒体Ｐが送り出されることによって印刷媒体Ｐが搬送経路内を搬送されるため、ローラー２０は、印刷媒体Ｐの搬送経路の最上流に位置する。また、ローラー２０には、モーター２１が接続され、当該モーター２１が所定方向あるいは所定方向と逆方向に回転することによってロール状に蓄積された印刷媒体Ｐを送り出し、または、巻き取ることができる。以上のように。本実施形態においては、ローラー２０とモーター２１とが搬送経路の最上流にて印刷媒体Ｐを搬送する第２搬送機構に該当する。
【００２４】
ローラー１０ａ，１０ｂは、印刷ヘッド３０よりも搬送経路の上流側かつ第２搬送機構よりも搬送経路の下流側に位置し、ローラー１０ａ，１０ｂの回転軸が平行となるように設置される。本実施形態において、ローラー１０ａの位置は固定されるとともに、回転軸を中心として回転可能となるようにインクジェットプリンター内に支持されている。また、ローラー１０ａにはモーター１１ａが接続され、当該モーター１１ａが所定方向あるいは所定方向と逆方向に回転することによってローラー１０ａを所定方向あるいは所定方向と逆方向に回転させることができる。
【００２５】
ローラー１０ｂは、当該ローラー１０ｂの回転軸がローラー１０ａの回転軸と平行に配向した状態で位置を変動させることができるようにインクジェットプリンター内に支持されている。すなわち、ローラー１０ｂは、ローラー１０ａの外周とローラー１０ｂの外周とが接触する位置（図１Ａに実線で示すローラー１０ｂの位置）と、ローラー１０ａの外周とローラー１０ｂの外周とが接触しない位置（図１Ａに破線で示すローラー１０ｂの位置）との間で移動可能に構成されている。移動経路は図１Ａに破線の矢印で示すように直線状であっても良いし、曲線状であってもよい。また、ローラー１０ｂにはモーター１１ｂが接続され、当該モーター１１ｂが所定方向あるいは所定方向と逆方向に回転することによってローラー１０ｂを、図１Ａに実線で示す位置と、破線で示す位置とに移動させることができる。
【００２６】
ここで、図１Ａに実線で示すローラー１０ｂの位置は、上述のようにローラー１０ａの外周とローラー１０ｂの外周とが接触する位置であるとともに、モーター１１ｂによってローラー１０ｂからローラー１０ａに向けた力が作用する状態である。従って、この状態においてローラー１０ａとローラー１０ｂとの間に印刷媒体Ｐを挟んでローラー１０ａを所定方向あるいは所定方向と逆方向に回転させることによって印刷媒体Ｐを搬送経路の上流から下流に向けて搬送し、あるいは、下流から上流に向けて逆向きに搬送することができる。ここでは、以上のようにローラー１０ａとローラー１０ｂとの間に印刷媒体Ｐを挟んだ状態をニップ状態と呼ぶ。
【００２７】
一方、図１Ａに破線で示すローラー１０ｂの位置は、上述のようにローラー１０ａの外周とローラー１０ｂの外周とが接触しない位置であるため、ローラー１０ａとローラー１０ｂの間に印刷媒体Ｐが存在する状態において、ローラー１０ａとローラー１０ｂとで印刷媒体Ｐを挟んでいない（圧力を作用させていない）状態となる。ここでは、ローラー１０ａとローラー１０ｂとで印刷媒体Ｐを挟んでいない状態をニップ解除状態と呼ぶ。以上のように，本実施形態においては、ローラー１０ａ，１０ｂおよびモーター１１ａ，１１ｂが、ニップ状態とニップ解除状態を実現可能であるとともにニップ状態にて印刷媒体Ｐを搬送する第１搬送機構に該当する。
【００２８】
第１搬送機構のニップ状態においては、上述のようにモーター１１ｂによってローラー１０ｂからローラー１０ａに向けた力が作用するため、当該ニップ状態において印刷媒体Ｐに印刷されたインクが乾いていない場合、インクがローラー１０ｂに転写され得る。一方、ローラー２０は印刷媒体Ｐの搬送経路の最上流に位置するため、印刷媒体Ｐがローラー２０まで搬送される間にインクの乾燥が促進され、ローラー２０にて印刷済の印刷媒体Ｐを巻き取ってもインクが印刷媒体Ｐに転写されることはない。
【００２９】
さらに、第１搬送機構のニップ状態においてはモーター１１ｂによってローラー１０ｂからローラー１０ａに向けた力が作用するが、第２搬送機構においてモーター２１を駆動してローラー２０によって印刷媒体Ｐを巻き取る状態において、ロール状に蓄積された印刷媒体Ｐに作用する力は主に印刷媒体Ｐの長さ方向（ロールの周方向）に向けた力となる。従って、第１搬送機構のニップ状態において印刷媒体Ｐの印刷面（印刷媒体Ｐが印刷ヘッド３０とプラテン５０との間に存在する状態においてプラテン５０に平行な印刷ヘッド３０側の面）に作用する圧力は、第２搬送機構によって印刷媒体Ｐを搬送する場合に印刷媒体Ｐの印刷面に作用する圧力よりも大きい。このため、ニップ状態において印刷媒体Ｐに印刷されたインクが乾いていない場合、インクがローラー１０ｂに転写され易く、ローラー２０においては、インクの転写が発生しにくい。
【００３０】
本実施形態にかかるインクジェットプリンターは、上述のようにヒーター６０を備えているため、印刷媒体Ｐに対して印刷を行った後、ヒーター６０から印刷済の印刷媒体Ｐに対して熱が放射された状態で所定期間経過すれば印刷済の部分におけるインクは乾く。しかし、上述のように白インクを印刷した後に、搬送経路内において印刷媒体Ｐを逆送させ、再度印刷媒体Ｐに対して有彩色インクを印刷する構成において、当該白インクの乾燥を待つ構成とすると、印刷媒体Ｐの印刷領域に対して白インクが最後に印刷されたタイミングから所定期間が経過するまで待機した後に印刷媒体Ｐを逆送させる必要がある。従って、高速に印刷を行うことはできない。
【００３１】
そこで、本実施形態においては、ニップ解除状態を利用し、白インクが最後に印刷されたタイミングから所定期間が経過する以前に印刷媒体Ｐを逆送しても白インクが転写されないように構成して高速に印刷を実行できるように構成した。本実施形態にかかるインクジェットプリンターは、図１Ｂに示すように制御部７０を備え、制御部７０と、印刷ヘッド３０，基準位置検出センサ４０，ヒーター６０，モーター１１ａ，１１ｂ，２１が図示しないインタフェースによって接続されている。そして、制御部７０が各部に制御信号を出力して各部を制御することによって印刷媒体Ｐを搬送しながら印刷ヘッド３０にて印刷を行うことができる。この構成において、制御部７０が図２に示すフローチャートに従って印刷処理を実行することによって、白インクが最後に印刷されたタイミングから所定期間が経過する以前に印刷媒体Ｐを逆送しても白インクが転写されないようにローラーおよび搬送タイミングを制御して印刷を行う。従って、本実施形態においては制御部７０が搬送制御部を構成する。
【００３２】
（２）印刷処理：
図２に示す印刷処理において、制御部７０は、まず、第１搬送機構をニップ状態に設定する（ステップＳ１００）。すなわち、制御部７０は、モーター１１ｂに制御信号を出力して当該モーター１１ｂを駆動し、図１Ａに実線で示すようなローラー１０ａの外周とローラー１０ｂの外周とが接触する位置にローラー１０ｂを移動させる。むろん、ここでは、ローラー１０ａ，１０ｂの間に印刷媒体Ｐが搬送された後にニップ状態になるように構成してもよい。
【００３３】
次に、制御部７０は、第１搬送機構および第２搬送機構によって印刷媒体Ｐを搬送する（ステップＳ１０５）。すなわち、制御部７０は、モーター１１ａ，２１に制御信号を出力して当該モーター１１ａ，２１を所定方向に回転駆動し、ローラー２０を所定方向に回転させることによって印刷媒体Ｐを送り出すとともにローラー１０ａを所定方向に回転させることによって、印刷媒体Ｐを上流から下流に向けて搬送する。
【００３４】
次に、制御部７０は、白インクを印刷する（第１の印刷：ステップＳ１１０）。すなわち、制御部７０は、モーター１１ａ，２１および印刷ヘッド３０に制御信号を出力し、印刷ヘッド３０からのインク吐出に同期するタイミングで印刷媒体Ｐを搬送し、印刷対象の画像を示す印刷データに従って印刷ヘッド３０から白インクを吐出させる。
【００３５】
なお、当該白インクの印刷に際して制御部７０は、印刷媒体Ｐ上の基準位置と印刷ヘッド３０による印刷開始位置との関係を記録しておく。すなわち、制御部７０は基準位置検出センサ４０に対して制御信号を出力することによって基準位置検出センサ４０を稼働させ、当該基準位置検出センサ４０が出力する信号に基づいて印刷媒体Ｐ上の基準位置を検出する。そして、当該基準位置を検出した後、白インクによる印刷を開始するまでの間に第１搬送機構および第２搬送機構によって印刷媒体Ｐを搬送した搬送量を、印刷開始位置を示す情報とし、図示しないＲＡＭ等に記録する。
【００３６】
次に、制御部７０は、第１搬送機構をニップ解除状態に設定する（ステップＳ１１５）。すなわち、制御部７０は、モーター１１ｂに制御信号を出力して当該モーター１１ｂを駆動し、図１Ａに破線で示すようなローラー１０ａの外周とローラー１０ｂの外周とが接触しない位置にローラー１０ｂを移動させる。次に、制御部７０は、第２搬送機構によって印刷媒体を逆方向に搬送する（ステップＳ１２０）。すなわち、制御部７０は、モーター２１に制御信号を出力し、モーター２１を所定方向と逆方向に回転駆動し、ローラー２０を所定方向と逆方向に回転させることによって印刷媒体Ｐを巻き取り、印刷媒体Ｐを下流から上流に向けて予め決められた量だけ搬送する。
【００３７】
なお、本実施形態においては、ステップＳ１１０によって印刷媒体Ｐの印刷領域の最後に印刷される部分に白インクが印刷されるとステップＳ１１５，Ｓ１２０が実行される。従って、本実施形態においては、白インクが最後に印刷された部分がヒーター６０の搬送方向に沿った方向の長さＬに相当する長さだけ下流に搬送される以前に印刷媒体Ｐが逆方向に搬送されることになる。このため、白インクが印刷された後、所定期間が経過していない状態で印刷媒体Ｐを逆方向に搬送することになるが、本実施形態においては、ステップＳ１１５において予めニップ解除状態としているため、白インクの印刷媒体Ｐへの定着が完了していない状態であってもローラー１０ｂに対して白インクを転写させることなく印刷媒体Ｐを搬送することが可能になる。
【００３８】
ステップＳ１２０にて、予め決められた搬送量だけ印刷媒体Ｐを逆方向に搬送させると、制御部７０は、第１搬送機構をニップ状態に設定し（ステップＳ１２５）、第１搬送機構および第２搬送機構によって印刷媒体Ｐを搬送する（ステップＳ１３０）。以上のように、本実施形態においては、ステップＳ１２０にて印刷媒体Ｐを下流から上流に向けて予め決められた量だけ搬送した後にステップＳ１２５にて再度ニップ状態とするが、本実施形態における印刷媒体Ｐおよび白インクの組み合わせにおいては、印刷媒体Ｐの印刷領域に対して白インクが最後に印刷された部分が下流から上流に向けて搬送され、再度ローラー１０ａ，１０ｂ間に到達する前に乾燥する。従って、ステップＳ１２０を実行している間に実質的に所定期間が経過し、ステップＳ１２５の実行完了後にステップＳ１３０を実行してもローラー１０ｂに対して白インクを転写させることなく印刷媒体Ｐを搬送することが可能である。
【００３９】
ステップＳ１３０にて、印刷媒体Ｐの搬送を開始すると、制御部７０は、印刷ヘッド３０が印刷開始位置に到達したか否かを判定する（ステップＳ１３５）。すなわち、制御部７０は、基準位置検出センサ４０が出力する信号に基づいて印刷媒体Ｐ上の基準位置を検出した後、第１搬送機構および第２搬送機構によって印刷媒体Ｐを上述の搬送量だけ搬送した場合に印刷ヘッド３０が印刷開始位置に到達したと判定する。
【００４０】
ステップＳ１３５にて印刷ヘッド３０が印刷開始位置に到達したと判定されない場合、制御部７０は、ステップＳ１３５を繰り返す。一方、ステップＳ１３５にて印刷ヘッド３０が印刷開始位置に到達したと判定された場合、制御部７０は、有彩色インクを印刷する（第２の印刷：ステップＳ１４０）。すなわち、制御部７０は、モーター１１ａ，２１および印刷ヘッド３０に制御信号を出力し、印刷ヘッド３０からのインク吐出に同期するタイミングで印刷媒体Ｐを搬送し、印刷対象の画像を示す印刷データに従って印刷ヘッド３０から有彩色インクを吐出させる。このように、本実施形態においては白インクと有彩色インクとにおいて印刷開始位置を一致させるため、白インクによる印刷と有彩色インクによる印刷とで印刷位置にずれが発生することを防止することができ、高画質に印刷を行うことが可能になる。
【００４１】
（３）他の実施形態：
上述の実施形態は本発明を実施するための一例であり、印刷後、所定期間が経過していない印刷媒体を搬送する場合に第１搬送機構をニップ解除状態とする限りにおいて、他にも種々の実施形態を採用可能である。例えば、プリンターは少なくとも第１搬送機構および第２搬送機構を備えていれば良く、むろん、当該第１搬送機構および第２搬送機構以外の搬送機構を備えていても良い。
【００４２】
さらに、ニップ解除状態からニップ状態へ移行するタイミングは、インクの転写が発生しないようなタイミングであれば良く、ステップＳ１２０における搬送が完了し、再度ローラー１０ａ，１０ｂ間に到達する段階でインクが未乾燥の状態となり得るのであれば、待機期間を設けてインクが乾燥するまで（印刷後、所定期間が経過するまで）の期間が確保されるように構成としても良い。また、プリンターにおいて、ヒーター６０を備えない構成としても良く、この場合、所定期間は印刷ヘッド３０による印刷後、インクが乾燥して転写しない状態となるまでの期間に相当する。
【符号の説明】
【００４３】
１０ａ，１０ｂ…ローラー、１１ａ，１１ｂ…モーター、２０…ローラー、２１…モーター、３０…印刷ヘッド、４０…基準位置検出センサ、５０…プラテン、６０…ヒーター、７０…制御部
【図１】
0005696505.tif 000002
【図２】
0005696505.tif 000003